(57)【特許請求の範囲】
【請求項１】
回動支点部を介して機器本体に回動可能なカバーを備え、該カバーは前記機器本体の回動支点部から取り外して回動支点部とは異なる部位へ取り付けられる電子機器であって、
前記カバーには電子機器の本体内部に取り付けられるユニットが正しくセットされていない場合、当該カバーが完全に閉まらなくなるようにする誤セット防止用の凸部材が取り外し可能に設けられており、
前記カバーを前記回動支点部とは異なる部位に取り付ける際、前記カバーから取り外した前記凸部材をその異なる部位に取り付け、当該凸部材を介して前記カバーを機器本体に取り付けることを特徴とする電子機器。
【請求項２】
請求項１記載の電子機器において、前記カバーが前記機器本体の前面カバーであり、該カバーの前記回動支点部とは異なる部位が前記機器本体側面または後面または上面であることを特徴とする電子機器。
【請求項３】
請求項１記載の電子機器において、前記凸部材には，前記カバーを閉時に装置に保持するための部材が取り付けられていることを特徴とする電子機器。
【請求項４】
請求項１記載の電子機器において、前記カバー内側に汚れ防止部材を有することを特徴とする電子機器。
【請求項５】
請求項１記載の電子機器において、前記カバー内側に凹形状の部分を有し、前記凹形状部に磁気部材が取り付けられていることを特徴とする電子機器。
【発明の詳細な説明】
【技術分野】
【０００１】
本発明は、回動支点部を介して機器本体に回動可能なカバーを備えた電子機器に関するものである。
【背景技術】
【０００２】
複写機、プリンタ又はファクシミリなどの画像形成装置の電子機器においては、その本体にカバーが付設され、画像形成装置本体内の要素のメンテナンス作業などを行うときは、カバーを開いて作業を行えるように構成されている。その際、メンテナンス作業では本体内部から部品などを取り出して作業することが多いが、取り出した部品などはこれを置く場所がない。このため、メンテナンスを行うサービスマンはユーザー先で都合よく作業台等があれば問題ないが、多くの場合は取り出した部品を床の上に置いて無理な姿勢で作業していた。
【０００３】
【特許文献１】特開平４−３６５０５６公報
【特許文献２】特開平８−１６０６４公報
【特許文献３】特開２００３−３４５２２０公報
【特許文献４】特開平１１−２４３５３公報
【０００４】
そして、カバーを取り出した部品の作業台として使用することについては未だ知られておらず、上記特許文献１〜４は、像形成装置等の前カバーに関する発明であるが、前カバー等を取り出した部品の作業台として使用することについては記載されていない。
【発明の開示】
【発明が解決しようとする課題】
【０００５】
本発明は、上記した従来の事情に鑑み、開いたカバーを作業台として使い勝手良く用いることができる電子機器を提供することを目的とする。
【課題を解決するための手段】
【０００６】
上記目的を達成するために、本発明は、回動支点部を介して機器本体に回動可能なカバーを備え、該カバーは前記機器本体の回動支点部から取り外して回動支点部とは異なる部位へ取り付けられる電子機器であって、前記カバーには電子機器の本体内部に取り付けられるユニットが正しくセットされていない場合、当該カバーが完全に閉まらなくなるようにする誤セット防止用の凸部材が取り外し可能に設けられており、前記カバーを前記回動支点部とは異なる部位に取り付ける際、前記カバーから取り外した前記凸部材をその異なる部位に取り付け、当該凸部材を介して前記カバーを機器本体に取り付けることを特徴とする電子機器を提案する。
【０００７】
なお、本発明は、前記カバーが前記機器本体の前面カバーであり、該カバーの前記回動支点部とは異なる部位が前記機器本体側面または後面または上面であると、効果的である。
【０００９】
さらにまた、本発明は、前記凸部材には，前記カバーを閉時に装置に保持するための部材が取り付けられていると、効果的である。
さらにまた、本発明は、前記カバー内側に汚れ防止部材を有すると、効果的である。
【００１０】
さらにまた、本発明は、前記カバー内側に凹形状の部分を有し、前記凹形状部に磁気部材が取り付けられていると、効果的である。
【発明の効果】
【００１１】
請求項１の構成によれば、装置内部へのユニット脱着や装置内部のメンテナンスのため開閉可能なカバーを備え、前記カバーを取り外すことによりメンテナンス時の作業台にすることができ、しかもカバーに設けられたユニット誤セット防止用の凸部材がカバーを回動支点部とは異なる部位の取り付けに利用することができ、部品点数を減らすことができる。
【００１２】
請求項２の構成によれば、カバーを装置の前面・側面・後面・上面に取り付け可能であることにより、装置の設置場所に応じてメンテナンスをしやすい状況をつくることができる。
【００１４】
請求項３の構成によれば、カバーを閉めた時にカバーを装置筐体に固定するための部材が、取り外された凸部材に取り付けられていることにより、取り外した凸部材の再セット忘れを防止することができる。
【００１５】
請求項４の構成によれば、カバー内側に汚れ防止部材が取り付けられることにより、メンテナンス時にカバー内側が汚れるのを防止することができる。
請求項５の構成によれば、カバーに凹形状部を設けることにより、取り外したネジ等を置けるようにすることができる。また凹形状部にマグネットが取り付けられていることにより、取り外したネジ等の落下を防止することができる。
【発明を実施するための最良の形態】
【００１６】
以下、本発明の実施の形態を添付図面にしたがって説明する。
図１は本発明に係る電子機器としての画像形成装置を示す本体概略図である。
図１において、装置本体１の前面には本体前面にはメンテナンス時及びジャム処理時に開放されるカバー１０が設けられており、該カバー１０は装置本体１の下部側に設けられたベース部２にヒンジ部３を介して開閉可能に装着されている。そして、例えば、感光体ドラムユニット４や現像ユニット（不図示）交換のメンテナンス時には，カバー１０を開け、図２に示すように、感光体ユニット面板５の押さえを解除し、感光体ドラムユニット４等を前面側から本体外に引き出すことができる。
【００１７】
このように取り外したユニットその他、装置のメンテナンスする際，床面に置いて無理な姿勢で作業をしたり、ユーザー先のテーブル等を借りて作業を行ったりしなければならなかった。
【００１８】
そこで、本発明では開放したカバー１０を作業台として利用するものであり、次にその詳しい説明をする。
図３は本実施形態のカバー１０を示す斜視図である。
【００１９】
図３において、カバー１０の内面には本体内部に取り付けられるユニット類が正しくセットされていない場合、カバー１０が完全に閉まらなくなるようにするため凸部材１１がネジ１２によって取り付けられている。この凸部材１１はいわゆる「じゃま部材」であり、装置本体１の要素が正しくセットされていないときはカバー１０を完全に閉じることができないようにするためのものである。しかし、じゃま部材である凸部材１１は、カバー１０を作業台として使用する際、メンテナンス作業等の邪魔になるので、カバー１０を作業台として使用するときにはネジ１２を外してカバー１０から取り外す。
【００２０】
取り外した凸部材１１やネジ１２は、紛失するおそれがあるため、しっかりと保管しなければならない。そこで、取り外した凸部材１１やネジ１２を、カバー１０を本体に再度高さを変え取り付ける際の固定部材として利用することで、凸部材１１やネジ１２の紛失を防止するとともに、部品点数を減らしてコストダウンすることができる。
【００２１】
また、凸部材１１やネジ１２は取り外してから固定部材として再装着するまでの間においても紛失するおそれがあるので、カバー１０に内面側に磁気部１２を設け、その磁気部１３に取り外した凸部材１１やネジ１２を磁力によって保持させることができる。なお、凸部材１１及びネジ１２は少なくとも一部が磁性体から作られている。
【００２２】
図４は凸部材１１の詳細を示す斜視図で、凸部材１１にはカバー１０を閉めた状態に保持するための固定部材１４が取り付けられている。例えば、装置本体１側にマグネット（図示せず）が取り付けられており、カバー１０の閉時にそのマグネットと当たる位置に、板金部材である固定部材１４が凸部材１１を介してカバー１０に取り付けられ、マグネットの力によりカバー１０を閉めた状態で保持することができる。本体側のマグネットは、凸部材１１における固定部材１４に対応した位置に設けられる。また、マグネット以外には、カバー１０を閉めて保持する部材はつけず、凸部材１１が無ければカバーが閉まらない構成にする。そうすれば、カバー１０を作業台に使用した後、凸部材１１を取り付け忘れてカバー１０を閉めた場合、固定部材１４も取り付けられていないのでカバー１０を閉じた状態で保持することができなくなる。よって、凸部材１１は取り外しても再セット忘れを確実に防止することができる。また、カバー１０には回転支点１５が設けられ、該回転支点１５はＬ字状に形成された固定ピン１６によって装置本体１のヒンジ部３に軸支される。そして、上記凸部材１１には固定ピン１６を取り付けるための穴１７が空いている。
【００２３】
開放したカバー１０を作業台として利用する場合、カバー１０を作業し易い位置に移動して固定することが有利であり、このためカバー１０はヒンジ部３から簡単に取り外して、作業し易い位置に取り付ける。
【００２４】
図５はカバー１０の取り付けに関する説明図であり、通常カバー１は回転支点部１５が固定ピン１６を介してベース部２のヒンジ部３に取り付けられていて、固定ピン１６を中心に回動されて開閉する。カバー１０を作業台としてメンテナンス作業がし易い高さ、例えば装置本体１の前面上部に設置する場合、回転支点部１５の固定ピン１６を抜くことで取り外し、同時にカバー１０からネジ１２を外して凸部材１１を取り外し、その凸部材１１はカバー１０を取り付ける装置本体１の前面上部にネジ１２を用いて取り付ける。
【００２５】
装置本体１に取り付けられた凸部材１１には、カバー１０が固定ピン１６を用いて取り付けることでき、これにてメンテナンス時作業しやすい高さの作業台としてカバー１０を利用することができる。
【００２６】
具体的には、図６に示ように、装置本体１の前面１Ｆに凸部材１１を取り付けるための穴が４カ所（凸部材１１で隠れている。）あり、前カバー１０から取り外した２個の凸部材１１及び４本のネジ１２を用いて前面上部に取り付ける。その後、凸部材１１と前カバー１０に対し固定ピン１６を差し込んで固定する。
【００２７】
本実施形態では前面上部にカバー１０を取り付けているが、側面１Ｓ、後面１Ｂ、上面１Ｕにカバー１０を取り付けても何ら問題はない。また、装置本体１の側面１Ｓや後面１Ｂに取り付ける場合は、前面１Ｆと同様に、側面１Ｓや後面１Ｂに用意された取り付け穴６Ｓを用いて凸部材１１を取り付け、前カバー１０を取り付ければよい。さらにまた、カバー１０を上面１Ｕに取り付ける場合、上面１Ｕは図６に示すように、装置の最も高い面を指す。したがって、上面１Ｕに取り付ける場合は、上面の取り付け穴６Ｕに対しネジ１２で上方から止め付けることができるように、図８に示すように凸部材１１に上記例とは異なる方向に孔１１Ａがあいている。このように構成することにより、本体設置環境に合わせて装置本体１の前面１Ｆまたは側面１Ｓや後面１Ｂ、上面１Ｕにも作業台を取り付けることができるようになる。
【００２８】
なお、カバー１０は前カバーで説明したが、前カバーに限られず、側面や後面のカバーも利用することが可能である。
ところで、カバー１０の内側は図１に示すように、強度を確保するための補強リブ１９があり、メンテナンス作業時にトナー等がカバー１の内側を汚すと補強リブがあるため清掃しにくく、また作業面が平らな状態にならないので作業性を損なうおそれがある。
【００２９】
そこで、本発明のカバー１０には図４及び図６に示すように、その内面に汚れ防止及び作業面を確保するため防汚部材１８が取り付けられている。防汚部材１８は例えば材質として平滑性が良いポリエステルフィルム等のシート材質を用いることで、汚れても清掃がし易くなる。同時に、メンテナンス作業の邪魔にならない位置の一部をカバー１０の大きさより防汚部材１８を小さくし一部を切り欠き，補強リブ１９との間に凹部を作ることでメンテナンス時に取り外したネジ等を置くスペースを作ることができる。そして、その凹部に上記したようにマグネット１３を取り付けることにより、確実にネジ落下等を防止することができる。
【図面の簡単な説明】
【００３０】
【図１】図１は本発明に係る電子機器としての画像形成装置を示す本体概略図である。
【図２】感光体ユニット取り出し方法を示す説明図である。
【図３】本発明に係るカバーの分解斜視図である。
【図４】凸部材の詳細を示す斜視図である。
【図５】カバーの取り付けを示す説明図である。
【図６】カバーの取り付けを詳細に示す斜視図である。
【図７】カバーと凸部材の取り付け部を示す拡大斜視図である。
【図８】カバーを上面に取り付ける場合のカバーと凸部材の取り付け部を示す拡大斜視図である。
【符号の説明】
【００３１】
１  装置本体
１０  カバー
１１  凸部材
１２  ネジ
１３  磁気部
１４  固定部材防塵ガラス
１６  固定ピン
１８  防汚部材
【図１】
0004658822.tif 000002
【図２】
0004658822.tif 000003
【図３】
0004658822.tif 000004
【図４】
0004658822.tif 000005
【図５】
0004658822.tif 000006
【図６】
0004658822.tif 000007
【図７】
0004658822.tif 000008
【図８】
0004658822.tif 000009